(57)【要約】【課題】眼鏡レンズの光学性能とレンズ形状とを眼鏡装用者に表示して、眼鏡装用者の好みに合致した眼鏡レンズを設計するように構成された眼鏡レンズ受発注システムを提供する。【解決手段】本発明による眼鏡レンズ受発注システムは、眼鏡装用者の処方データを含むパラメータを入力する入力部（１０１）と、前記入力部と通信回線で接続され、前記入力部へ入力された前記パラメータに基づいて眼鏡レンズの形状および光学性能を求める処理部（１０３）と、前記処理部と通信回線で接続され、前記処理部の求めた眼鏡レンズの形状および光学性能を、前記眼鏡装用者が評価し、修正指示できるように表示する表示部（１０５）と、を備えたことを特徴とする。【選択図】図１
2008250441.tif 000002
【特許請求の範囲】
【請求項１】
眼鏡装用者の処方データを含むパラメータを入力する入力部と、
前記入力部と通信回線で接続され、前記入力部へ入力された前記パラメータに基づいて眼鏡レンズの形状および光学性能を求める処理部と、
前記処理部と通信回線で接続され、前記処理部の求めた眼鏡レンズの形状および光学性能を、前記眼鏡装用者が評価し、修正指示できるように表示する表示部と、を備えたことを特徴とする眼鏡レンズ受発注システム。
【請求項２】
前記表示部が、少なくとも、収差量、最小縁厚寸法および最大縁厚寸法を表示することを特徴とする請求項１に記載の眼鏡レンズ受発注システム。
【請求項３】
前記表示部が、前記眼鏡レンズの形状として、前記眼鏡レンズの断面形状を表示することを特徴とする請求項１または２に記載の眼鏡レンズ受発注システム。
【請求項４】
前記表示部が、前記眼鏡レンズの光学性能として、非点収差分布図を表示することを特徴とする請求項１から３のいずれか１項に記載の眼鏡レンズ受発注システム。
【請求項５】
前記表示部が、前記眼鏡レンズの光学性能として、等加入線図を表示することを特徴とする請求項１から４のいずれか１項に記載の眼鏡レンズ受発注システム。
【請求項６】
前記表示部が、前記眼鏡レンズの光学性能として、前記眼鏡レンズを通した見え方のイメージを表示することを特徴とする請求項１から５のいずれか１項に記載の眼鏡レンズ受発注システム。
【請求項７】
前記パラメータが視紋値を含むことを特徴とする請求項１から６のいずれか１項に記載の眼鏡レンズ受発注システム。
【請求項８】
前記パラメータが、眼鏡装用者による眼鏡の使用頻度が高く、前記処方データに基づいて定めたレンズの屈折力を実現するように形状を定めるレンズ屈折面の第１領域の範囲と、眼鏡装用者による眼鏡の使用頻度が低く、屈折力が、前記処方データに基づいて定めたレンズの屈折力よりも周縁部に向かって徐々に小さくなるように形状を定めるレンズ屈折面の第２領域の範囲とを含むことを特徴とする請求項１から７のいずれか１項に記載の眼鏡レンズ受発注システム。
【請求項９】
前記第１領域および前記第２領域の範囲を回旋角で表した場合に、前記第１領域の上限の回旋角を２０度から３０度の範囲とし、前記第２領域の上限の回旋角を４０度から６０度の範囲とすることを特徴とする請求項１から８のいずれか１項に記載の眼鏡レンズ受発注システム。
【発明の詳細な説明】
【技術分野】
【０００１】
本発明は、眼鏡装用者に適した眼鏡レンズを設計することのできる眼鏡レンズ受発注システムに関するものである。
【背景技術】
【０００２】
眼鏡装用者の処方データなどのパラメータを入力し、該パラメータに基づいて、眼鏡装用者に適した眼鏡レンズを設計するように構成された眼鏡レンズ受発注システムが開発されている（たとえば、特許文献１）。
【０００３】
【特許文献１】国際公開ＷＯ２００４／０３４１３１号
【発明の開示】
【発明が解決しようとする課題】
【０００４】
しかし、眼鏡レンズの光学性能とレンズ形状とを眼鏡装用者に表示して、眼鏡装用者の好みを取り入れながら、眼鏡装用者ごとに設計方法を変えながら、眼鏡装用者の好みに合致した眼鏡レンズを設計するように構成された眼鏡レンズ受発注システムは開発されていなかった。
【０００５】
したがって、眼鏡レンズの光学性能とレンズ形状とを眼鏡装用者に表示して、眼鏡装用者の好みを取り入れて、眼鏡装用者ごとに設計方法を変えながら、眼鏡装用者の好みに合致した眼鏡レンズを設計するように構成された眼鏡レンズ受発注システムに対するニーズがある。
【課題を解決するための手段】
【０００６】
本発明による眼鏡レンズ受発注システムは、眼鏡装用者の処方データを含むパラメータを入力する入力部と、前記入力部と通信回線で接続され、前記入力部へ入力された前記パラメータに基づいて眼鏡レンズの形状および光学性能を求める処理部と、前記処理部と通信回線で接続され、前記処理部の求めた眼鏡レンズの形状および光学性能を、前記眼鏡装用者が評価し、修正指示できるように表示する表示部と、を備えたことを特徴とする。
【０００７】
本発明による眼鏡レンズ受発注システムによれば、表示部によって、表示される眼鏡レンズの形状および光学性能にもとづいて、パラメータを修正し、修正された眼鏡レンズの形状および光学性能を求めることにより、眼鏡装用者の好みに合致した眼鏡レンズを設計することができる。
【０００８】
本発明の一実施形態による眼鏡レンズ受発注システムは、前記表示部が、少なくとも、収差量、最小縁厚寸法および最大縁厚寸法を表示することを特徴とする。
【０００９】
本実施形態による眼鏡レンズ受発注システムによれば、眼鏡装用者は、収差量、最小縁厚寸法および最大縁厚寸法を評価し、その評価を眼鏡レンズの設計に反映させることができる。
【００１０】
本発明の一実施形態による眼鏡レンズ受発注システムは、前記表示部が、前記眼鏡レンズの形状として、前記眼鏡レンズの断面形状を表示することを特徴とする。
【００１１】
本実施形態による眼鏡レンズ受発注システムによれば、眼鏡装用者は、表示された眼鏡レンズの断面形状を評価し、その評価を眼鏡レンズの設計に反映させることができる。
【００１２】
本発明の他の実施形態による眼鏡レンズ受発注システムは、前記表示部が、前記眼鏡レンズの光学性能として、非点収差分布図を表示することを特徴とする。
【００１３】
本実施形態による眼鏡レンズ受発注システムによれば、眼鏡装用者は、表示された非点収差分布図を評価し、その評価を眼鏡レンズの設計に反映させることができる。
【００１４】
本発明の他の実施形態による眼鏡レンズ受発注システムは、前記表示部が、前記眼鏡レンズの光学性能として、等加入線図を表示することを特徴とする。
【００１５】
本実施形態による眼鏡レンズ受発注システムによれば、眼鏡装用者は、表示された等加入線図を評価し、その評価を眼鏡レンズの設計に反映させることができる。
【００１６】
本発明の他の実施形態による眼鏡レンズ受発注システムは、前記表示部が、前記眼鏡レンズの光学性能として、前記眼鏡レンズを通した見え方のイメージを表示することを特徴とする。
【００１７】
本実施形態による眼鏡レンズ受発注システムによれば、眼鏡装用者は、表示された、眼鏡レンズを通した見え方のイメージを評価し、その評価を眼鏡レンズの設計に反映させることができる。
【００１８】
本発明の他の実施形態による眼鏡レンズ受発注システムは、前記パラメータが視紋値を含むことを特徴とする。
【００１９】
本実施形態による眼鏡レンズ受発注システムによれば、視紋値を使用することにより、眼鏡装用者の特性を眼鏡レンズの設計に反映させることができる。
【００２０】
本発明の他の実施形態による眼鏡レンズ受発注システムは、前記パラメータが、眼鏡装用者による眼鏡の使用頻度が高く、前記処方データに基づいて定めたレンズの屈折力を実現するように形状を定めるレンズ屈折面の第１領域の範囲と、眼鏡装用者による眼鏡の使用頻度が低く、屈折力が、前記処方データに基づいて定めたレンズの屈折力よりも周縁部に向かって徐々に小さくなるように形状を定めるレンズ屈折面の第２領域の範囲とを含むことを特徴とする。
【００２１】
本実施形態による眼鏡レンズ受発注システムによれば、第１領域の範囲および第２領域の範囲を変更することにより、眼鏡装用者の、眼鏡レンズの使用状況に関する特性を考慮して眼鏡装用者による眼鏡の使いやすさに影響を与えないようにしながら、縁厚（眼鏡レンズの形状）と屈折力が低下する範囲（眼鏡レンズの光学性能）とを調整することができる。
【００２２】
本発明の他の実施形態による眼鏡レンズ受発注システムは、前記第１領域および前記第２領域の範囲を回旋角で表した場合に、前記第１領域の上限の回旋角を２０度から３０度の範囲とし、前記第２領域の上限の回旋角を４０度から６０度の範囲とすることを特徴とする。
【００２３】
本実施形態による眼鏡レンズ受発注システムによれば、第１領域の上限の回旋角を２０度から３０度の範囲で変化させ、第２領域の上限の回旋角を４０度から６０度の範囲で変化させることにより、眼鏡装用者の、眼鏡レンズの使用状況に関する特性を考慮しながら、眼鏡装用者の好みに合致した眼鏡レンズを設計することができる。
【発明の効果】
【００２４】
本発明によれば、眼鏡レンズの光学性能とレンズ形状とを眼鏡装用者に表示して、眼鏡装用者の好みを取り入れて、眼鏡装用者ごとに設計方法を変えながら、眼鏡装用者の好みに合致した眼鏡レンズを設計することができる眼鏡レンズ受発注システムが得られる。
【発明を実施するための最良の形態】
【００２５】
図１は、本発明の一実施形態による、眼鏡レンズ受発注システムの構成を示す図である。眼鏡レンズ受発注システムは、入力部１０１と、処理部１０３と、表示部１０５とを備える。入力部１０１と処理部１０３および処理部１０３と表示部１０５は、通信回線によって接続されている。さらに、入力部１０１と表示部１０５とを接続してもよい。
【００２６】
入力部１０１は、眼鏡装用者の処方データ、レンズデータおよびフレームデータを含むパラメータを入力することができるように構成される。
【００２７】
処理部１０３は、入力部１０１へ入力されたパラメータに基づいて眼鏡レンズの形状および光学性能を求めることができるように構成される。眼鏡レンズの形状および光学性能を求める方法については後で説明する。
【００２８】
表示部１０５は、処理部１０３が求めた眼鏡レンズの形状および光学性能を、たとえば、図表により表示することができるように構成される。
【００２９】
入力部１０１および表示部１０５は、一例として、販売店などに設置される発注用コンピュータによって実現してもよい。発注用コンピュータは、一例としてパーソナルコンピュータであってもよい。
【００３０】
処理部１０３は、一例として、レンズメーカに設置される設計用コンピュータによって実現してもよい。発注用コンピュータと設計用コンピュータとは、インターネットおよびイントラネットを含むネットワークによって接続してもよい。設計用コンピュータを、眼鏡レンズ製造ラインを管理する製造用コンピュータにさらに接続し、眼鏡レンズの設計が確定した後に、設計用コンピュータが、製造用コンピュータに設計データを送り、製造用コンピュータが該設計データに基づいて製造を開始するように構成してもよい。
【００３１】
他の実施形態において、処理部１０３は、販売店に設置したパーソナル・コンピュータによって実現してもよい。あるいは、眼鏡を生産する工場に設置したコンピュータによって実現してもよい。
【００３２】
この他に、入力部１０１、処理部１０３および表示部１０５を実現するコンピュータ・システムの形態は、種々のものが考えられるがいずれの形態であってもよい。
【００３３】
いずれの形態であっても、入力部１０１から入力された眼鏡装用者のパラメータに基づいて、処理部１０３が眼鏡レンズの形状および光学性能を求め、眼鏡装用者にわかりやすいフォーマットで表示部１０５に表示する。眼鏡装用者は、表示された眼鏡レンズの形状および光学性能に基づいて、修正したパラメータを入力部１０１に入力することもできる。このように、眼鏡装用者は、たとえば、販売店において、わかりやすいフォーマットで表示部１０５に表示された、眼鏡レンズの形状および光学性能を評価し、必要に応じて入力部１０１でパラメータを修正することによって、自らの評価、すなわち眼鏡装用者の好みを眼鏡レンズの設計に反映させることができる。
【００３４】
図２は、本発明の一実施形態による、眼鏡レンズ受発注システムの処理を示す流れ図である。
【００３５】
図２のステップＳ２０１０において、入力部１０１が、入力されたパラメータを受け取る。パラメータは、上述のように、眼鏡装用者の処方データ、レンズデータおよびフレームデータを含む。眼鏡装用者の処方データは、度数、加入度、乱視度、プリズム量および瞳孔間距離などを含んでもよい。レンズデータは、レンズの形状種類（球面、非球面など）や屈折率などを含んでもよい。フレームデータは、品種、玉型形状および全体形状などを含んでもよい。また、パラメータは、前傾角、ボウアングルおよび角膜頂点からレンズ後面までの距離などの装用データを含んでもよい。ここで、ボウアングルとは、左右のレンズが顔に沿うようにフレームを構成したときに、左右のレンズがなす角度である。
【００３６】
図２のステップＳ２０２０において、処理部１０３は、入力部１０１から入力されたパラメータを受け取り、該パラメータに基づいて眼鏡レンズの形状および光学性能を求める。眼鏡レンズの形状には、レンズ面形状および縁厚が含まれる。眼鏡レンズの光学性能には、収差量分布や歪曲量分布が含まれる。
【００３７】
図３は、図２のステップＳ２０２０の詳細を示す流れ図である。
【００３８】
図３のステップＳ３０１０において、眼鏡装用者の処方データに基づいて定めたレンズの屈折力を実現するように、眼鏡レンズの物体側の屈折面の形状と眼側の屈折面の形状とを定める。
【００３９】
図３のステップＳ３０２０において、眼鏡装用者ごとに、眼側の屈折面において第１領域および第２領域を定める。第１領域は、回旋角が第１の所定値以下であり、装用者による眼鏡レンズの使用頻度が高い領域である。第２領域は、回旋角が第１の所定値より大きく、第２の所定値以下であり、装用者による眼鏡レンズの使用頻度が低い領域である。回旋角が第２の所定値より大きい領域は、装用者が眼鏡レンズを使用しない領域であり、第３領域と呼称する。ここで、回旋角とは、眼球が前後軸から回転した角度のことである。
【００４０】
第１および第２領域は、眼鏡装用者の特性によって変化する。そこで、眼鏡装用者の特性を表すのに、視紋値を使用してもよい。また、視紋値を、入力部１０１へ入力するパラメータに加え、処理部１０３が、入力部１０１へ入力された視紋値に基づいて第１および第２領域の初期範囲を定めるように構成してもよい。視紋値については、以下に説明する。
【００４１】
図４は、視紋値を説明するための図である。眼鏡装用者の当初における正面の方向を一点鎖線で示す。観察対象物が眼鏡装用者の当初における正面の方向から外れた位置にある場合に、眼鏡装用者は、眼球を回転させるか、顔全体（頭）を回転させるかまたは両方を回転させる。図４に示すように、当初における正面の方向を基準とした対象物の角度を目標角度と呼称する。また、当初における正面の方向を基準とした頭の角度をヘッド角度と呼称する。ここで、目標角度に対するヘッド角度の比率を視紋値と定義する。経験的に、視紋値は眼鏡装用者によってほぼ一定である。そこで、眼鏡装用者の、顔全体の動きおよび眼球の動きを測定することによって眼鏡装用者の視紋値を測定する。目標角度とヘッド角度との差は、眼球の回旋角である。したがって、視紋値が大きな眼鏡装用者は、眼球回旋角が小さい範囲に収まるが、視紋値が小さな眼鏡装用者は、眼球回旋角が大きくなる。
【００４２】
視紋値が０である（すなわち、頭を回転させることがない）眼鏡装用者に対して、第１領域の上限の回旋角を３０度以上とし、第２領域の上限の回旋角を５０度以上とするのが好ましい。
【００４３】
他方、視紋値が一定値以上である眼鏡装用者に対しては、第１および第２領域の上限の回旋角を小さくすることができる。たとえば、視紋値が所定値０．８以上である眼鏡装用者は、眼球の回旋角が小さいので、第１領域の上限の回旋角を２０度とし、第２領域の上限の回旋角を４０度としてもよい。
【００４４】
一般的に、第１領域の上限の回旋角は、眼鏡装用者に視紋値にしたがって、２０度から３０度の範囲の値から選択するのが好ましい。視紋値の上記所定値から０までを２０度から４０度に対応させて、第１領域の上限の回旋角を定めてもよい。また、第２領域の上限の回旋角は、眼鏡装用者に視紋値にしたがって、４０度から６０度の範囲の値から選択するのが好ましい。視紋値の上記所定値から０までを４０度から６０度に対応させて、第２領域の上限の回旋角を定めてもよい。眼鏡装用者の視紋値が大きなほど、第１または第２領域の上限の回旋角を狭くすることができる。このように、視紋値と対応させて、第１および第２領域の上限の回旋角を定めることができる。
【００４５】
図３のステップＳ３０３０において、第２領域内で、所定の条件の下に眼側の屈折面の形状を修正する。以下において、眼側の屈折面の形状の修正の方法を、本発明の第１の実施例による眼鏡レンズを例として説明する。以下の実施例において、レンズは単一の屈折度数に基づいて設計された負の屈折力を有するレンズである。また、レンズの屈折率は、１．６７である。
【００４６】
図５は、本発明の第１の実施例による眼鏡レンズの、眼球の回旋中心点Ｃ２と眼鏡レンズの光学中心Ｃ１とを結ぶ直線を含む断面の図である。図５において、眼鏡レンズの外側（耳側）を「Ｏｕｔ」で示し、内側（鼻側）を「Ｉｎ」で示す。本実施例による眼鏡レンズの中心度数は、−４ジオプトリーであり、光学中心から外側（耳側）および内側（鼻側）の端部までの距離は、それぞれ２９ミリメータおよび２３ミリメータである。また、本実施例による眼鏡レンズの中心厚は１．１ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１領域を回旋角が３０度以下の領域とし、第２領域を回旋角が３０度より大きく５０度以下の領域とし、第３領域を回旋角が５０度より大きい領域とした。図５において、眼鏡装用者の処方データに基づいて定めたレンズの屈折力を実現するレンズ形状を点線で示し、本実施例によるレンズ形状を実線で示す。以下において、眼鏡装用者の処方データに基づいて定めたレンズの屈折力を実現するレンズ形状を有するレンズを比較例と呼称する。
【００４７】
第１領域においては、点線で示したレンズ形状は修正しない。すなわち、本実施例による眼鏡レンズの眼側の屈折面を表す曲線の第１領域における曲率は、眼鏡装用者の処方データに基づいて定めたレンズの屈折力を実現する曲率である。
【００４８】
第２領域においては、縁厚を薄くするように点線で示したレンズ形状を修正する。具体的には、第１および第２領域において、眼側の屈折面を表す曲線に頂点以外の変曲点が存在しないようにしながら、第２領域において眼側の屈折面を表す曲線の曲率が、眼鏡装用者の処方データに基づいて定めたレンズの屈折力を実現する曲率よりも大きくなるようにする。好ましくは、第２領域において、眼側の屈折面を表す曲線の曲率と、眼鏡装用者の処方データに基づいて定めたレンズの屈折力を実現する曲率との差が、徐々に大きくなるようにする。
より具体的に、第１および第２領域の境界のＸ座標を
【数１】
2008250441.tif 000003
とし、第２領域の任意の点のＸ座標を
【数２】
2008250441.tif 000004
とし、
【数３】
2008250441.tif 000005
における眼側の屈折面を表す曲線のＹ軸方向の修正量を
【数４】
2008250441.tif 000006
とし、
【数５】
2008250441.tif 000007
を定数とした場合に、
【数６】
2008250441.tif 000008
としてもよい。ここで、５次の多項式を使用したが、その他の次数の多項式であってもよい。その場合に、第２および第３領域の境界のＸ座標を
【数７】
2008250441.tif 000009
とした場合に、当該境界における修正量は、
【数８】
2008250441.tif 000010
の範囲であるのが好ましい。
【００４９】
第３領域においては、眼側の屈折面を表す曲線が変曲点を備えてもよい。
【００５０】
第１、第２および第３の領域における曲線を、高次の多項式またはスプライン関数で接続して、修正後の曲線を得る。
【００５１】
図５に示すように、本実施例による眼鏡レンズの外側（耳側）の縁厚は３．３ミリメータである。比較例のレンズの縁厚（３．４ミリメータ）に比較して、０．１ミリメータ薄くなっている。また、本実施例による眼鏡レンズの内側（鼻側）の縁厚は２．６ミリメータであり、外側との縁厚差は０．７ミリメータである。
【００５２】
本実施例において、眼側の屈折面を表す曲線の座標が、０、
【数９】
2008250441.tif 000011
および
【数１０】
2008250441.tif 000012
の位置における曲率半径をR1,R2およびR3とすると
R1= 115.823
R2= 114.291
R3=1244.397
である。
【００５３】
図６は、本実施例による眼鏡レンズの各点における度数を、中心度数からの差で示した図である。図４の横軸は中心度数（−４ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００５４】
図２のステップＳ２０３０において、表示部１０５は、処理部１０３が求めた、眼鏡レンズの形状および光学性能を図表により表示する。
【００５５】
図７は、表示部１０５による、眼鏡レンズの形状および光学性能の図表による表示の一例を示す図である。表示は、眼鏡レンズの形状を示す部分と眼鏡レンズの光学性能を示す部分とからなる。本例では、眼球の回旋中心点と光学中心とを結ぶ直線を含み、眼鏡装用時の水平方向および鉛直方向の直線を含む断面によって眼鏡レンズの形状を示す。また、等アス線図、等加入線図および見え方のイメージによって眼鏡レンズの光学性能を示す。ここで、等アス線図（非点収差分布図）は、眼鏡レンズにおいて非点収差の等しい複数の線によって、非点収差の分布を示し、等加入線図は、眼鏡レンズにおいて加入度の等しい複数の線によって加入度の分布を示す。さらに、見え方のイメージは、眼鏡レンズによる遠方視および近方視を含む見え方のイメージを示す。
【００５６】
さらに、表示部１０５による表示は、レンズの重量や、歪曲収差の分布や、図５に示した比較例と実施例との対比を示す図や、図６に示した眼鏡レンズの各点における度数を示す図を含んでもよい。
【００５７】
本実施形態によれば、眼鏡レンズの形状および眼鏡レンズの光学性能が図表により表示されるので、眼鏡装用者は、眼鏡レンズの形状および眼鏡レンズの光学性能を具体的に評価することができる。さらに、眼鏡装用者は、評価に基づいて、眼鏡レンズの形状または眼鏡レンズの光学性能を変える必要があるかどうかを判断する。眼鏡装用者が、眼鏡レンズの形状または眼鏡レンズの光学性能を変える必要があると判断した場合には、パラメータの修正を行う。
【００５８】
図２のステップＳ２０４０において、入力部１０１は、パラメータの修正があるかどうか判断する。パラメータの修正がなければ処理を終了し、パラメータの修正があれば、ステップＳ２０２０に戻り、処理部１０３が、修正されたパラメータに基づいて、眼鏡レンズの形状および光学性能を再び求める。
【００５９】
具体的にパラメータの修正は、レンズの形状種類（球面、非球面など）や屈折率、フレームの品種、玉型形状および全体形状の変更などであってもよい。
【００６０】
以下において、パラメータとして、図５に関して説明した第１領域および第２領域の範囲を変更する場合について説明する。
【００６１】
第１領域の上限の回旋角（第１の所定値）を小さくすれば、眼側の屈折面の形状（眼側の屈折面を表す曲線の曲率）を修正できる第２領域が広がるので、縁厚をより薄くすることができる。また、第１領域の上限の回旋角（第１の所定値）を固定して第２領域の上限の回旋角（第２の所定値）を小さくすれば、眼側の屈折面を表す曲線の変曲点を定めることができる第３領域が広がるので、縁厚をより薄くすることができる。ただし、縁厚を薄くするように眼側の屈折面の形状を修正した範囲は、曲率半径が大きくなるので、眼鏡レンズの屈折力が低下する。そこで、縁厚（眼鏡レンズの形状）と屈折力が低下する範囲（眼鏡レンズの光学性能）とのバランスをとりながら、第１および第２領域の範囲を修正する。
【００６２】
図８は、本発明の第２の実施例による眼鏡レンズの、眼球の回旋中心点Ｃ２と光学中心Ｃ１とを結ぶ直線を含む断面の図である。本実施例においては、他の条件を第１の実施例と同じとし、第１および第２の所定値を第１の実施例に比較して減少させた。すなわち、第１の所定値を３０度から２６度とし、第２の所定値を５０度から４２度とした。図８において、比較例のレンズ形状を点線で示し、本実施例によるレンズ形状を実線で示す。
【００６３】
図８に示すように、本実施例による眼鏡レンズの外側（耳側）の縁厚は２．５ミリメータであり、第１の実施例に比較して０．８ミリメータ薄くなっている。また、本実施例による眼鏡レンズの内側および外側の縁厚差はなく、第１の実施例（内側および外側の縁厚差０．７ミリメータ）に比較して大幅に改善されている。
【００６４】
第２の実施例において、
R1= 115.823
R2= 115.255
R3= 397.337
である。
【００６５】
図９は、本実施例による眼鏡レンズの各点における度数の、中心度数からの差で示した図である。図６の横軸は中心度数（−４ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００６６】
つぎに、図２のステップＳ２０２０において処理部１０３が修正されたパラメータに基づいて求めた眼鏡レンズの形状および光学性能を、ステップＳ２０３０において表示部１０５が図表により表示する。したがって、眼鏡装用者は、修正された眼鏡レンズの形状および光学性能を、具体的に評価することができる。
【００６７】
上記の負の屈折力を有するレンズの実施例においては、光学中心の厚さ（中心厚）を変えずに設計を行っている。正の屈折力を有するレンズにおいては、中心厚を変化させて同様の設計を行ってもよい。
【００６８】
また、上記の実施例においては、単一の屈折度数に基づいて設計された眼鏡レンズについて説明したが、本発明は、累進屈折力レンズや卵子屈折力レンズなどにも適用することができる。
【００６９】
このように、本発明によれば、眼鏡装用者の好みに合致した眼鏡レンズを設計することができる。
【図面の簡単な説明】
【００７０】
【図１】本発明の一実施形態による、眼鏡レンズ受発注システムの構成を示す図である。
【図２】本発明の一実施形態による、眼鏡レンズ受発注システムの処理を示す流れ図である。
【図３】図２のステップＳ２０２０の詳細を示す流れ図である。
【図４】視紋値を説明するための図である。
【図５】本発明の第１の実施例による眼鏡レンズの、眼球の回旋中心点Ｃ２と眼鏡レンズの光学中心Ｃ１とを結ぶ直線を含む断面の図である。
【図６】本発明の第１の実施例による眼鏡レンズの各点における度数を、中心度数からの差で示した図である。
【図７】表示部１０５による図表による表示の一例を示す図である。
【図８】本発明の第２の実施例による眼鏡レンズの、眼球の回旋中心点Ｃ２と光学中心Ｃ１とを結ぶ直線を含む断面の図である。
【図９】本発明の第２の実施例による眼鏡レンズの各点における度数の、中心度数からの差で示した図である。
【符号の説明】
【００７１】
１０１…入力部、１０３…処理部、１０５…表示部
【図１】
2008250441.tif 000013
【図２】
2008250441.tif 000014
【図３】
2008250441.tif 000015
【図４】
2008250441.tif 000016
【図５】
2008250441.tif 000017
【図６】
2008250441.tif 000018
【図７】
2008250441.tif 000019
【図８】
2008250441.tif 000020
【図９】
2008250441.tif 000021